(57)【要約】  本発明の患者移送装置は患者の胴体が患者の足に対して持ち上げられるように、頭側端部で傾けられる上部のシートを含む。本発明の患者移送マットレスは増大した強度及び安定性のために中間部分に比較的幅の狭い小室を含んでもよい。患者移送マットレスはまた、足側端部に足分離器を含んでもよく、足分離器は先細にされ、１つまたは複数の膨張可能な小室を含んでもよい。移送マットレスはまた、マットレスに直接取り付けられたポンプを含んでもよい。患者移送装置は独立に膨張可能な胴体小室及び頭部小室、及び各小室に接続された入口管及び排気管を有する胴体及び頭部支持付属物を含んでもよい。患者移送装置の空気分配マニホールドは小室の膨張及び収縮の制御のために入口管及び排気管の各々に接続された弁を含む。患者移送装置は分配マニホールドに接続され、ユーザーの親指による作動のために挿管用管に取り付け可能な制御ユニットを含んでもよい。
2007531565.tif 000002
【特許請求の範囲】
【請求項１】
膨張可能なプレナムを画定する上部及び底部のシートを有する移送マットレスを備える患者移送装置であって：前記底部シートが、前記プレナムが膨張させられたときに前記底部シートの下側にエアクッションを生成するために構成された空気排出穴を有し；
前記移送マットレスが頭側端部及び反対側の足側端部を備え；前記移送マットレスがさらに、前記頭側端部に配置された膨張可能な胴体支持小室であって、前記頭側端部の前記上部シートを傾けて、患者の胴体の上部を患者の胴体の下部及び足より高い位置に持ち上げるために構成された胴体支持小室を有する患者移送装置。
【請求項２】
前記胴体が前記頭側端部の部分で、前記足側端部に対して約４０度以下の角度で傾く、請求項１に記載の患者移送装置。
【請求項３】
前記移送マットレスの前記胴体支持小室が前記膨張可能なプレナムから分離された内部を画定する、請求項１に記載の患者移送装置。
【請求項４】
前記移送マットレスが前記頭側端部と前記足側端部の間に中間部分を含み、前記移送マットレスが縦方向に拡張する１組の側部空気小室、及び前記頭側端部及び前記足側端部の各々の部分において前記側部空気小室の間に拡張する複数の横方向小室を含み、前記中間部分の前記横方向小室の幅が前記足側端部の横方向小室より狭い、請求項１に記載の患者移送装置。
【請求項５】
前記移送マットレスの前記足側端部の上面上に配置された足分離器をさらに含み、前記足分離器が前記移送マットレス上に支持された患者の足の間の分離を維持するように構成されている、請求項１に記載の患者移送装置。
【請求項６】
前記足分離器が少なくとも１つの膨張可能な小室を含む、請求項５に記載の患者移送装置。
【請求項７】
前記足分離器がくさび形形状を画定するために前記足分離器の長さに沿って先細にされている、請求項５に記載の患者移送装置。
【請求項８】
前記マットレスの表面に取り付けられた、前記プレナムを膨張させるための空気コンプレッサーをさらに備える、請求項１に記載の患者移送装置。
【請求項９】
前記コンプレッサーが前記移送マットレスの前記足側端部の上面に配置されている、請求項８に記載の患者移送装置。
【請求項１０】
前記胴体支持小室の上に配置された膨張可能な頭部支持小室をさらに備える、請求項１に記載の患者移送装置。
【請求項１１】
前記膨張可能な頭部支持小室が前記胴体支持小室の内部から分離された内部を画定する、請求項１０に記載の患者移送装置。
【請求項１２】
前記膨張可能な頭部支持小室が部分的に膨張した状態を与えるために、調節可能に膨張させることができるように構成されている、請求項１０に記載の患者移送装置。
【請求項１３】
支持された患者の下側に横たわる面に対するスライド移動を容易にするために構成された患者移送装置であって：
膨張可能な小室を含む胴体支持体であって、胴体支持小室が膨張させられたときに、患者の胴体が患者の足に対して持ち上げられるように、下側に横たわる患者移送装置の支持面に対して傾けられる上面を有する胴体支持体；
膨張可能な頭部支持小室を含む、前記胴体支持体の上面に配置された頭部支持体であって、前記頭部支持小室が、それぞれの小室の独立な膨張のために、前記胴体支持小室によって画定される内部から分離された内部を画定する頭部支持体；
前記胴体支持小室及び前記頭部支持小室の各々に接続された入口管であって、各々が関連する小室を膨張させるために加圧された空気源に接続されている入口管；及び、
前記入口管に機能可能に接続され、前記胴体支持小室及び前記頭部支持小室の膨張の独立に制御するために構成されている膨張制御システムを備える患者移送装置。
【請求項１４】
前記膨張制御システムが加圧された空気源に接続された分配マニホールドを含み、前記分配マニホールドが前記加圧された空気源から前記胴体支持小室及び前記頭部支持小室への独立した加圧された空気の供給を与えるために前記入口管の各々に接続された弁を含む、請求項１３に記載の患者移送装置。
【請求項１５】
前記胴体支持小室及び前記頭部支持小室の各々に接続された排気管をさらに備え、前記分配マニホールドが関連した小室からの空気の排出、及び小室の制御された収縮ために前記排気管の各々に接続された弁を含む、請求項１３に記載の患者移送装置。
【請求項１６】
前記分配マニホールドの前記弁が電気的に制御される弁である、請求項１５に記載の患者移送装置。
【請求項１７】
前記膨張制御システムが前記分配マニホールドの弁を制御するための制御ユニットを含み、前記制御ユニットがユーザーの親指による作動のために挿管用管に取り付けられるように構成されている、請求項１３に記載の患者移送装置。
【請求項１８】
前記頭部支持小室が前記頭部支持小室の上面上に配置されたクッション、及び前記頭部支持小室及び前記クッションを覆うカバーを含む、請求項１３に記載の患者移送装置。
【請求項１９】
患者移送装置であって：
上部及び底部のシート、及び膨張可能なプレナムを含む移送マットレスであって、前記プレナムが膨張させられたときに、前記マットレスの下側に横たわる支持面に対するスライド移動を容易にするために前記底部シートの下側にエアクッションを生成するように構成されている移送マットレス；
前記移送マットレスに取り外し可能に取り付けられた胴体及び頭部支持付属物であって、前記付属物は膨張可能な小室を有する胴体上部支持体及び膨張可能な小室を有する頭部支持体を含み、前記頭部支持小室が前記胴体上部支持体小室の上面に配置されており、前記胴体上部支持体が、前記胴体支持小室が膨張させられたときに、患者の胴体の上部を患者の胴体の下部及び足に対して持ち上げるために前記下側に横たわる支持面に対して傾けられる上面を有し、前記胴体支持小室及び前記頭部支持小室がそれぞれの小室の独立な膨張を可能にするために互いに分離された内部を画定する移送マットレス；
関連する小室の膨張のために小室に加圧された空気を供給するための、前記胴体支持小室及び前記頭部支持小室の各々に接続された入口管；
加圧された空気源；
加圧された空気を受容するために前記加圧された空気源に機能可能に接続された分配マニホールドであって、各々が関連する小室への加圧された空気の制御された供給のために前記入口管の１つに接続された第１及び第２の弁を含む分配マニホールド；及び、
前記分配マニホールドに接続されたコントローラーであって、前記胴体支持小室及び前記頭部支持小室の独立な膨張のために前記弁の動作を制御するように構成されたコントローラーを備える患者移送装置。
【請求項２０】
前記胴体支持小室及び前記頭部支持小室からの空気の排出のために関連する小室に接続された第１及び第２の排気管をさらに備え、前記分配マニホールドが関連する小室の制御された収縮のために前記排気管の対応する１つに接続された第３及び第４の弁を含む、請求項１９に記載の患者移送装置。
【発明の詳細な説明】
【技術分野】
【０００１】
本出願は２００４年９月２４日に出願された米国特許出願No.60/612,805「Patient Transfer Mattress Having Inclined Surface」、及び２００４年３月１日に出願された米国特許出願No.60/548,901「Active Head/Neck Positioning Device for Intubation」の優先権を主張し、これらの出願はその全文が本願に参照として組み込まれる。
【０００２】
本発明は患者移送装置に関する。詳細に述べると、本発明は、肥満した患者の呼吸の負担を軽減するために、または患者の体重に関わりなく患者への挿管を容易にするために患者を直立した姿勢で支持するために便利な傾斜のある表面を備えた患者移送マットレスに関する。
【背景技術】
【０００３】
患者移送マットレスは膨張可能なプレナム（または、空気が充満した空間）を有し、マットレスの下側にエアクッションを生成するために底部のシートの多数の穴を介して空気を排出する。エアクッションはマットレスを持ち上げ、ベッドや他の支持面に対するマットレスの移動を容易にする。患者移送マットレスの従来技術の例は米国特許No.5,067,189（Weedling他）及び米国特許No.5,561,873（Weedling）に開示されている。
【０００４】
患者、特に、病的に肥満した患者は肥満に関連する状態を有することが多く、患者が長時間、うつ伏せで（または、仰向けで）横たわることを非健康的なものにする場合が多い。肥満は、患者の肺が重たい胸部の壁によって圧迫され、呼吸のために持ち上がり、拡張することを困難にするので、患者が呼吸することを困難にすることがある。このような呼吸の困難性は慢性閉塞性肺疾患（ＣＯＰＤ）及び鬱血性心不全（ＣＨＦ）等の状態を悪化させる可能性がある。
【発明の開示】
【発明が解決しようとする課題】
【０００５】
これらの理由により、肥満した患者、特に、ＣＯＰＤまたはＣＨＦを患っている患者は診断中や移送中に平らな状態で横たわっていることが精神的に苦痛な状態となる場合がある。うつ伏せまたは仰向けの状態にされた肥満した患者の動脈血のガスレベルは酸素の適当な循環を害する程度に上昇する可能性がある。ＣＨＦを患っている患者の場合、患者の心臓は血液を適度な状態で身体を通して循環させることができなくなり、血液が肺に堆積し、息切れ、疲労感、及び手足の浮腫を生ずる可能性がある。肺が流体で鬱血してしまうと、それによる息切れはＣＨＦの患者が頻繁に睡眠障害を起こすことを生じさせる。
【０００６】
患者の処置は気管内挿管を必要とする場合がある。剛性の喉頭鏡を使用した喉頭の直接的な視覚化は気管内挿管を達成するための主要な処置であり、この処置は喉頭鏡検査法と呼ばれている。喉頭鏡検査法の成功は口頭、咽頭、及び喉頭の軸の整列に依存する。「嗅ぐ姿勢」と呼ばれるこの姿勢において、患者の頭部は僅かに伸長しており、後頭が持ち上げられた状態となる。手作業によって患者を適切な挿管姿勢にすることは容易ではなく、特に、患者が肥満している場合、より困難なものとなる。
【０００７】
したがって、気管内挿管を容易にするための身体支持装置が開発されている。米国特許No.4,259,757（Watson）は気管内挿管を容易にするために患者の頭及び首を位置付けるために使用することができるクッションを開示している。しかしながら、このクッションは頭及び首だけを支持し、患者の胴体を支持しないので、「嗅ぐ姿勢」を達成するための完全な支持システムではない。米国特許No.5,528,783は膨張可能な内袋を含む、くさび形の頭部及び胴体支持を開示している。そして、内袋は部分的な膨張及び完全な膨張を与えるために調節可能である。しかしながら、この支持は単一の内袋しか含まず、頭部を胴体とは独立に持ち上げることができない。
【課題を解決するための手段】
【０００８】
本発明の１つの特徴に従うと、患者移送装置は上部のシート及び底部のシートを有する膨張可能な移送マットレスを含む。底部のシートはマットレスの下側にエアクッションを生成するために複数の穴を含む。上部のシートは、支持された患者の頭部及び胴体の上部が足及び胴体の下部より持ち上げられるように、マットレスの縦方向の中間の部分から頭部の端部に向かって上方に傾けられる。
【０００９】
１つの実施例において、膨張可能な移送マットレスはマットレス上の患者を傾斜のある状態で支持するために、マットレスの中間の部分に増大した強度及び安定性を与えるための、中間部分に配置された複数の比較的狭い小室（または、チャンバー）を含む。好まれるものとして、比較的狭い小室はマットレスに対して横方向に拡張する。
【００１０】
もう１つの実施例において、移送マットレスはマットレスの胴体の足部分に配置された足分離器を含む。足分離器は好まれるものとして、マットレスの端部に向かって広がるような状態で先細の形状を有する。好まれるものとして、足分離器は膨張のための少なくとも１つ入口ポートを有する少なくとも１つの膨張可能な小室（または、チャンバー）を含む。足分離器はバッフル壁によって互いに分離された複数の小室を含んでもよい。
【００１１】
もう１つの実施例において、移送マットレスはマットレスに取り付けられ、マットレスの少なくとも１つの入口ポートに接続されたポンプを含む。ポンプはホースによってマットレスの１つまたは複数の入口ポートに接続されてもよい。あるいは、ポンプは入口ポートに直接取り付けられてもよい。
【００１２】
本発明のもう１つの特徴に従うと、患者移送装置は胴体及び頭部の支持を含む。胴体の支持は膨張可能な小室を有し、頭部の支持は胴体の支持の上面に配置され、同様に膨張可能な小室を有する。胴体支持の上面は胴体支持の小室が膨張させられたときに、患者の胴体の上部が患者の足に対して持ち上げられるように、下側に横たわる支持面に対して上方に傾けられる。頭部支持の小室は頭部支持の小室及び胴体支持の小室が独立に膨張することを可能にするために、胴体支持の小室の内部から分離された内部を画定する。
【００１３】
１つの実施例において、患者移送装置は各支持小室に加圧された空気を供給して、関連する小室を膨張させるための、各支持小室に接続された入口管を含む。患者移送装置はまた、加圧された空気源、及び各々が加圧された空気を関連する小室の制御された供給のために入口管の対応する１つに接続された第１及び第２の弁に機能可能に接続された分配マニホールドを含む。好まれるものとして、弁は電気的に制御される弁である。患者移送装置はさらに、分配マニホールドに接続され、胴体支持小室及び頭部支持小室の独立的な膨張のために弁の動作を制御するように構成されたコントローラーを含む。
【００１４】
もう１つの実施例において、患者移送装置はまた、胴体支持小室及び頭部支持小室の各々から空気を排気するために、関連する小室に接続された排気管を含む。分配マニホールドは関連する小室の制御された収縮のために排気管に接続された第３及び第４の弁を含む。
【００１５】
もう１つの実施例において、患者移送装置は弁の動作の制御のために分配マニホールドに接続された制御ユニットを含む制御システムを含む。好まれる実施例に従うと、制御ユニットは（「嗅ぐ姿勢」のために３つの軸を整列させるための）ユーザーの親指の動きによる弁の作動を可能にするために、喉頭鏡に取り付けられるように構成されている。
【発明を実施するための最良の形態】
【００１６】
図面において、同様な構成要素には同様な番号が付けられている。図１には、膨張可能なマットレス１０を有するタイプの患者移送装置が示されている。後で詳細に説明されるように、患者移送装置は患者の頭部及び胴体を患者の胴体の下部及び足に対して持ち上げられた状態で支持するための、傾いた面を与える。この様式の支持は肥満した患者、特に、慢性閉塞性肺疾患（ＣＯＰＤ）及び鬱血性心不全（ＣＨＦ）等の共存する病気を患っている肥満した患者に対して望ましい。
【００１７】
膨張可能な移送マットレス１０は上部のシート１２、底部のシート１４、及び側部パネル１６を含む。底部シート１４はマットレスの下側にエアクッションを生成して、下側の支持面に沿ったマットレス１０のスライドまたは移動を容易にするために、マットレス１０から空気を排出するための複数の開口を含む。移送マットレス１０はマットレスの移動を誘導するための牽引力の適用を容易にするための、マットレス１０の側部に取り付けられたループ状の取っ手１８を含んでもよい。
【００１８】
移送マットレス１０はまた、各ループ状の取っ手１８に取り付けられたループ状の牽引用ストラップ１９を含んでもよい。ループ状の牽引用ストラップ１９は介護者がマットレス１０の遠隔から引っ張ることを可能にするために細長の形状を有する。この構成は、例えば、患者を第１の支持面から、介護者と第１の支持面との間に配置された第２の支持面に移送するときに便利である。細長のループ状の牽引用ストラップ１９は、介護者が実質的に直立した状態でマットレスに牽引力を適用することを可能にし、介護者の腰や背中の損傷の可能性を減少させる。移送マットレス１０はまた、患者をマットレスに固定するための患者束縛ストラップ２０を含んでもよい。
【００１９】
患者移送マットレス１０は好まれるものとして、縦方向に拡張した側部の空気小室（または、空気チャンバー）２２、及び側部の空気小室２２の間に拡張する横方向の小室（または、チャンバー）２４を含む。マットレス１０の側部空気小室２２及び横方向小室２４のための適当な構成は米国特許No.No.5,067,189（Weedling）及び米国特許No.5,561,873に開示されている。
【００２０】
患者移送マットレス１０は一方の端部の頭部分２６、反対側の端部の足部分２８、及び頭部分２６と足部分２８の間に配置された中間部分３０を含む。移送マットレス１０の頭部分２６は上部シート１２と底部シート１４の間に配置され、側部パネル１６に接続した拡張パネル３２を含む。図１に示されているように、拡張パネル３２を備えることにより、移送マットレス１０が膨張させられたときに、マットレス１０の頭部分２６の上部シート１２は上部シート１２の残りの部分よりも高い位置に持ち上げられる。示されているように、拡張パネル３２は、上部シート１２が頭部分２６の大部分にわたって実質的に均一な比率で傾けられるような寸法にされる。好まれるものとして、マットレス１０が完全に膨張させられ、患者による負荷がかかっていないときの、頭部分２６の上部シート１２の上部シート１２の残りの部分に対する傾きの角度Ｙは約３０度〜約４０度の間である。しかしながら、本発明は特定の傾きの角度によって制限されるものではない。
【００２１】
この傾きは支持された患者の頭部及び胴体の上部を患者の胴体の下部及び足よりも高い位置に持ち上げる。肥満した患者を直立した姿勢（または、直立状態に近い姿勢）で支持することにより、安静時及び横方向の移送時の（血液の）循環及び呼吸が促進される。
【００２２】
移送マットレス１０はマットレスの内部に空気を供給してマットレスを膨張させるための空気入口ホース３１を含む。移送マットレス１０の傾いた頭部分２６は移送マットレス１０の残りの部分の内部と伝達（または、接続）する内部小室を有してもよい。この様式で構成された場合、傾いた頭部分２６を含む移送マットレス１０全体は空気入口ホース３１を介して同一の空気源から共通に膨張されるだろう。あるいは、患者移送マットレス１０の頭部分２６の傾いた表面は移送マットレスの残りの部分から分離された胴体支持小室を画定してもよい。この様式で構成された場合、胴体支持小室は、必要に応じて、胴体支持小室の選択的な膨張のために入口弁を介して静的な（または、固定的な）空気の供給を受容してもよい。そのような構成は患者を実質的にうつ伏せ（または、仰向け）の状態で支持するか、またはより直立状態に近い状態で支持するかに対する選択を与えることができる。
【００２３】
図２は本発明に従った、患者移送マットレス３３の形式の、患者移送装置の第２の実施例を示している。図１の患者移送マットレス１０と同様に、患者移送マットレス３３は上部シート１２、底部シート１４、側部パネル１６、ループ状の取っ手１８、及び患者束縛ストラップ２０を含む。移送マットレス１０と同様に、マットレス３３はマットレス３３の頭部分２６に拡張パネル３２を含み、移送マットレス３３が膨張させられたときに、頭部分２６を上部シート１２の残りの部分よりも高い位置に持ち上げる。
【００２４】
上部シート１２の傾き及び患者の胴体の上部の上昇は、患者がうつ伏せまたは仰向けになっているときよりも大きな割合で患者の体重を移送マットレス３３の中間部分３０に分布させるだろう。中間部分３０のこの増大した重量を補正するために、移送マットレス３３の中間部分３０はマットレス３３の他の部分に含まれる横方向小室２４よりも狭い幅の横方向小室３４を含む。この結果、横方向小室３４の密度（すなわち、単位面積当たりの小室の数）は中間部分３０で増大するので、各横方向小室３４が支えなければならない重量は比較的広い横方向小室２４が使用される場合よりも減少する。好まれるものとして、マットレス３３の中間部分３０の横方向小室３４は移送マットレス３３の縦方向の側部空気小室２２に直接的に開いている。中間部分３０の狭くされた小室は好まれるものとして、横方向に拡張しているが、本発明はこの構成に限定されるものではない。
【００２５】
図３を参照すると、本発明に従った、移送マットレス３６の形式の、患者移送装置の第３の実施例が図示されている。移送マットレス３６は移送マットレス１０及び３３と同様に、上部シート１２、底部シート１４、側部パネル１６、及び拡張パネル３２を含み、上部シート１２は移送マットレス３６の頭部分２６の部分で傾きを有する。また、患者移送マットレス３３と同様に、移送マットレス３６は中間部分３０の増大した支持及び安定性のために、マットレス３６の中間部分３０の部分に比較的狭い横方向小室３４を含む。
【００２６】
移送マットレス３６はまた、上部シート１２のマットレス３６の足部分２８に取り付けられた一塊になった膨張可能な小室３８を含む。一塊になった膨張可能な小室３８は、膨張させられたときに、マットレス３６の端部４０に向かって幅が増大する先細の形状を生成する。この先細の形状はくさびとして作用し、マットレス３６上に支持された患者の足の間の分離を維持する。肥満した患者に対し、足の分離は（血液の）循環を促進し、皮膚の保全性を保持する。好まれるものとして、小室３８は小室の強度を増大させるためにバッフル壁４２によって互いに分離されている。したがって、一塊になった膨張可能な小室３８の各々は膨張のために少なくとも１つの入口ポート４４を含む。ここで、膨張可能な足分離器が必ずしも一塊になった複数の膨張可能な小室を含まなくてもよいことは理解されなければならない。足分離器は示されているようなくさび形の構成を形成する単一の小室を含んでもよい。また、足分離器は必ずしも膨張可能である必要はない。代替的に、足分離器はマットレス３６の上部シート１２に固定された発泡樹脂等の材質で構成されてもよい。
【００２７】
移送マットレス３６は好まれるものとして、マットレス３６の頭部分２６の部分で傾きを有する上部シート１２、及び中間部分３０の部分の狭くされた横方向小室３４を含む。しかしながら、本発明はこれらの構成に限定されるものではない。上述された足分離器はマットレス全体にわたって実質的に均一な横方向小室２４を有する多様な移送マットレス、または頭部分の部分で傾きを有さない上部シートを有する移送マットレスに備えられてもよい。
【００２８】
図４は空気移送マットレス４６の形式の、本発明の第４の実施例に従った患者移送装置を示している。移送マットレス１０及び３３と同様に、移送マットレス４６は好まれるものとして、頭部分２６の部分で傾きを有する上部シート１２を含む。また、移送マットレス４６は好まれるものとして、移送マットレス３３及び３６と同様な比較的幅の狭い横方向小室３４を有する中間部分３０、及び移送マットレス３６と同様な一塊になった膨張可能な小室３８によって形成される足分離器を含む。
【００２９】
図１〜３に示されているように、移送マットレス１０、３３、及び３６の各々は空気源から空気を供給して移送マットレスを膨張させるための空気入口ホース３１を含む。移送マットレス４６はマットレスを膨張させるために移送マットレスに直接取り付けられた膨張器４８を含む。膨張器４８は好まれるものとして、移送マットレス４６のマットレス端部に隣接した状態で足部分２８に取り付けられる。膨張器４８はマットレス４６の裏側に、端部４０に隣接した状態で配置された入口ポートに接続された１組のホース５０を含む。膨張器４８は電気ソケットに結合するように構成された電力コード５２を含む。あるいは、膨張器４８は電力供給のために、それ自体のバッテリー源を含んでもよい。膨張器４８は必ずしも１組のホース５０を備えている必要はなく、代わりに、単一のホースを有してもよい。あるいは、移送マットレス４６は膨張器が直接接続することが可能な単一の入口ポートを含んでもよく、それによって、膨張器と入口ポートを相互接続するためのホースの必要性を排除してもよい。図において、膨張器４８はマットレス４６の足部分２８に取り付けられた状態で示されているが、膨張器がマットレス４６の他の場所に取り付けられてもよいことは理解されなければならない。
【００３０】
移送マットレス４６は好まれるものとして、頭部分２６で傾きを有する上部シート１２、中間部分３０の部分の狭くされた横方向小室３４、膨張器４８、及び足部分２８の部分の足分離器を含む。しかしながら、本発明はこれらの構成に限定されるものではない。例えば、上述された膨張器４８は足分離器を含まない移送マットレス、実質的に均一な横方向小室２４を有するマットレス、または頭部分で傾きを有さない上部シートを有するマットレス等を含む、多様な移送マットレスとともに使用されてもよい。
【００３１】
図５及び６は移送マットレス５４の形式の、本発明の第５の実施例に従った患者移送装置を示している。図１の移送マットレス１０と同様に、移送マットレス５４は上部シート１２、底部シート１４、側部パネル１６、ループ状の取っ手１８、及び患者束縛ストラップ２０を含む。また、移送マットレス１０と同様に、マットレス５４はマットレスの頭部分２６に拡張パネル３２を含み、上部シート１２を頭部分２６で傾けるための膨張可能な胴体支持小室５６を備える。マットレス１０と同様に、膨張可能な胴体支持小室５６はそれ自体の空気の供給によって別個の膨張を与えるために、マットレス５４の残りの部分によって画定される主要なプレナム（または、空気が充満した空間）から分離されていてもよい。あるいは、膨張可能な胴体支持小室５６は共通の空気の供給のために主要なプレナムと伝達状態（または、接続状態）であってもよい。
【００３２】
移送マットレス５４はさらに、上部シート１２の頭部分２６に接続された頭部支持小室５８を含む。マットレス５４の頭部支持小室５８は好まれるものとして、胴体支持小室５６からの空気によって頭部支持小室５８を膨張させるために、胴体支持小室５６と伝達状態である。図５において、頭部支持小室５８は収縮した状態で示されている。頭部支持小室５８の両側に取り付けられたストラップ６０は収縮した状態の頭部支持小室５８を保持するために、上部シート１２に取り付けられたタブ６２に取り外し可能な状態で取り付けられる。ストラップ６０及びタブ６２は好まれるものとして、所望の取り外し可能な取り付けを与えるためにマジックテープ材料を備えている。しかしながら、マジックテープの代わりに、例えば、スナップ等の他の適当な留め具手段が使用されてもよい。
【００３３】
図６を参照すると、胴体支持小室５６からの空気によって頭部支持小室５８が膨張することを可能にするためにストラップ６０はタブ６２から取り外されている。頭部支持小室５８の膨張は患者の顎が僅かに胸に向かって回転した状態で持ち上げられた状態の患者の頭部の支持を与える。図６に示されているように、胴体支持小室５６及び頭部支持小室５８は好まれるものとして、それぞれの小室の膨張圧力を制御するための弁６４、６６を含む。分離された胴体支持小室５６及び頭部支持小室５８を備えること、及びそれぞれの小室の独立に制御することにより、後で詳細に説明するように、患者の気管内挿管を容易にするための、患者の胴体及び頭部の上昇の独立な調節を与えることができる。
【００３４】
図７及び８は膨張可能な移送マットレス６８及び移送マットレス６８に取り付けることが可能な付属物７０として与えられた膨張可能な胴体及び頭部の支持の形式の、本発明の第６の実施例に従った患者移送装置を示している。従来技術の膨張可能な移送マットレスは実質的にうつ伏せ（または、仰向け）の状態で患者を支持する上部のシート７１を含む。図７に示されているように、膨張可能な移送マットレス６８及び胴体及び頭部の支持付属物７０は胴体及び頭部の支持付属物７０を移送マットレス６８に取り外し可能に取り付けるための留め具７２を含む。胴体及び頭部の支持付属物７０の取り外し可能な取り付けは、マットレスが胴体及び頭部の上昇を備えているかいないかにかかわらず、胴体及び頭部の支持付属物７０を下側に横たわるマットレス６８とともに使用することを可能にする。
【００３５】
胴体及び頭部の支持付属物７０は膨張可能な胴体小室７４及び胴体小室７４の上面上に配置された膨張可能な頭部枕７６を含む。胴体及び頭部の支持付属物７０はまた、胴体小室７４に接続された足側端部７８を含む。図７に示されているように、胴体小室７４及び足側端部７８は好まれるものとして、胴体及び頭部の支持付属物７０が下側に横たわる膨張可能なマットレス６８の実質的に上面全体を覆うような寸法にされる。
【００３６】
図７に示されているように、胴体小室７４は膨らまされたときに患者の胴体の上部を患者の胴体の下部に対して持ち上げるような傾きを有するようにくさび形の形状になる。胴体及び頭部の支持７０の足側端部７８は膨張可能でなくてもよい。下側に横たわる移送マットレス６８は患者を移送するために必要な支持を与えるので、足側端部７８は膨張する必要がない。
【００３７】
図８を参照すると、胴体及び頭部の支持付属物７０の胴体小室７４及び頭部枕７６が詳細に示されている。頭部枕７６は胴体小室７４と頭部枕７６の別個の膨張を与えるために胴体小室７４の内部から分離された内部を画定する膨張可能な小室８０を含む。頭部枕７６はまた、膨張可能な小室８０の上に配置された、好まれるものとして、発泡材料から作製されたクッション８２を含む。クッション８２は凹状の曲面を有する上面を含む。頭部枕７６はまた、小室８０及びクッション８２を覆うカバー８４を含む。カバー８４はクッション８２の上面に一致する凹状の曲面を有する上面を含む。カバー８４はまた、覆われた小室８０が膨張しているか、または収縮しているかに依存してカバー８４の拡張及び収縮を可能にするために下側の端部にアコーディオン状の形状を有する。
【００３８】
図８に示されているように、胴体及び頭部の支持付属物７０は頭部枕７６の小室８０に接続された第１の管の組８６、８８、及び胴体小室７４に接続された第２の管の組９０、９２を含む。この構成は、好まれるものとしてコンプレッサー９４である加圧された空気源によって供給される空気による胴体小室７４及び頭部枕７６の独立な膨張を可能にする。管の組の各々において、管の一方は関連する小室への空気の吸入のために備えられ、もう一方の管は小室からの空気の排出のために備えられる。胴体及び頭部の支持付属物７０はまた、胴体小室７４及び頭部枕７６への空気の吸入、またはそれらからの空気の排出を制御するための分空気配マニホールド９８を含む膨張制御システム９６を有する。後で詳細に説明されるように、膨張制御システム９６は胴体小室７４及び頭部枕の小室８０の一方または両方の膨張の量を非常に精密に調節する能力を有する。
【００３９】
空気分配マニホールド９８は、各々が管８６、８８、９０、９２の１つに接続された４つの弁１００を含む。弁１００は対応する小室７４、８０への空気の吸入、またはそれらからの空気の排出を制御するためのものであり、好まれるものとして、電気的に制御される弁である。空気の流れを制御するための電気的に制御される弁はこの分野で周知であり、ここで詳細に説明する必要はないであろう。空気分配マニホールド９８はコンプレッサー９４からの加圧された空気を空気分配マニホールド９８に供給するためのライン（または、管）１０２によってコンプレッサー９４に接続されている。好まれるものとして、ライン１０２は分配マニホールド９８の電気的に動作する弁１００に電力を供給するために、分配マニホールド９８に電力供給を与える機能を有して構成されていてもよい。
【００４０】
膨張制御システム９６はまた、弁１００の動作を制御するためにコード１０６によって空気分配マニホールド９８に接続されている制御ユニット１０４を含む。制御ユニット１０４はユーザーの手によって握られるように構成された挿管用取っ手１０８の端部に取り付けられた状態で示されている。この様式で構成することにより、制御ユニット１０４は挿管を行っているユーザーの親指によって差動することができ、挿管を行っているユーザーが患者から目を逸らすことなく、胴体／頭部小室７４、８０の膨張に対する微調整することを可能にする。示されているように、制御ユニット１０４は４つの弁１００の別個の差動のために円周上の配列で配置された４つの親指スイッチ１１０を含む。上述の取っ手への取り付けの配置は挿管処置を容易にするために都合のより配置であるが、本発明は特定の配置によって制限されるものではなく、示された実施例とは異なる構成が利用されてもよい。
【００４１】
ここで、小室７４、８０は膨張制御システム９６によって独立に制御され、それによって頭部の支持位置及び胴体の支持位置の多様な組合せを達成することができることは理解されなければならない。挿管のために胴体及び頭部の支持７０を制御するための好まれる方法に従うと、患者は移送マットレス６８に取り付けられた胴体及び頭部の支持付属物７０を備えた患者移送装置上に配置される。次に、胴体及び頭部７４、８０の各々は患者の胴体の上部を持ち上げ、患者の頭部を胴体に対して僅かに前方に回転させるために制御ユニット１０４を使用して完全に膨張させられる。次に、頭部小室８０は、患者を上述の「嗅ぐ姿勢」に位置付けるために上述の３つの軸が一直線になるまで部分的に収縮させられる。図９に示されているように、患者をこの位置に配置することによって、口頭、咽頭、及び喉頭の軸（それぞれ、ＯＡ、ＰＡ、ＬＡ）が実質的に整列して配置される。多くの事例において、完全に膨張させられた胴体小室７４が適切な状態となるであろう。しかしながら、任意の患者を挿管のために適切に位置付けるために両方の小室７４、８０の部分的な膨張状態への収縮が必要とされてもよい。さらに、特定に患者に対し、両方の小室７４、８０の完全な膨張が挿管を成功させるための３つの軸ＯＡ、ＰＡ、ＬＡの間の十分な整列の結果となってもよいことは理解されなければならない。
【００４２】
ここまで好まれる実施例とともに本発明が説明されてきたが、ここで示されていない本発明の本質的でない変更も本発明の等価物とみなされるだろう。
【図面の簡単な説明】
【００４３】
【図１】本発明に従った患者移送装置の斜視図である。
【図２】本発明の第２の実施例に従った患者移送装置の斜視図である。
【図３】本発明の第３の実施例に従った患者移送装置の斜視図である。
【図４】本発明の第４の実施例に従った患者移送装置の斜視図である。
【図５】頭部支持枕が収縮した状態で示されている、本発明の第５の実施例に従った患者移送装置の斜視図である。
【図６】頭部支持枕が膨張した状態で示されている、図５の患者移送装置の部分的な側面図である。
【図７】本発明の第６の実施例に従った患者移送装置の斜視図である。
【図８】頭部内袋及び胴体内袋の独立な膨張を与えるための膨張制御システムを含む、図７の患者移送装置の膨張可能な頭部／胴体支持付属物の部分的な斜視図である。
【図９】気管内挿管を容易にするために口頭、咽頭、及び喉頭の軸が整列するように支持された頭部及び胴体を有する患者の側面図である。
【符号の説明】
【００４４】
１０    患者移送マットレス
１２    上部シート
１４    底部シート
１６    側部パネル
１８    ループ状の取っ手
１９    ループ状の牽引用ストラップ
２０    患者束縛ストラップ
２２    側部空気小室
２４    横方向空気小室
２６    頭部分
２８    足部分
３０    中間部分
３１    空気入口ホース
３２    拡張パネル
３３    患者移送マットレス
３４    横方向小室
３６    患者移送マットレス
３８    膨張可能な小室
４０    端部
４２    バッフル壁
４６    空気移送マットレス
４８    膨張器
５０    ホース
５２    電力コード
５４    患者移送マットレス
５６    胴体支持小室
５８    頭部支持小室
６０    ストラップ
６２    タブ
６４，６６  弁
６８    患者移送マットレス
７０    胴体及び頭部の支持付属物
７１    上部シート
７２    留め具
７４    胴体小室
７６    頭部枕
７８    足側端部
８０    頭部小室
８２    クッション
８４    カバー
８６−９２  管
９４    コンプレッサー
９６    膨張制御システム
９８    空気分配マニホールド
１００  弁
１０２  ライン
１０４  制御ユニット
１０６  コード
１０８  挿管用取っ手
【図１】
2007531565.tif 000003
【図２】
2007531565.tif 000004
【図３】
2007531565.tif 000005
【図４】
2007531565.tif 000006
【図５】
2007531565.tif 000007
【図６】
2007531565.tif 000008
【図７】
2007531565.tif 000009
【図８】
2007531565.tif 000010
【図９】
2007531565.tif 000011
【手続補正書】
【提出日】平成18年11月2日(2006.11.2)
【手続補正１】
【補正対象書類名】特許請求の範囲
【補正対象項目名】全文
【補正方法】変更
【補正の内容】
【特許請求の範囲】
【請求項１】
膨張可能なプレナムを画定する上部及び底部のシートを有する移送マットレスを備える患者移送装置であって：前記底部シートが前記マットレスの下側に横たわる面上のスライド動作を容易にするために、前記プレナムが膨張させられたときに前記底部シートの下側にエアクッションを生成するように構成された空気排出穴を有し；
前記移送マットレスがさらに、頭側端部及び反対側の足側端部、及び、前記頭側端部に配置された膨張可能な胴体支持小室であって、前記頭側端部の前記上部シートを傾けて、患者の胴体の上部を患者の胴体の下部及び足に対して持ち上げるために構成された胴体支持小室を含む患者移送装置。
【請求項２】
前記胴体が前記頭側端部の部分で、前記足側端部に対して約４０度以下の角度で傾くことができる、請求項１に記載の患者移送装置。
【請求項３】
前記移送マットレスの前記胴体支持小室が前記膨張可能なプレナムから分離された内部を画定する、請求項１に記載の患者移送装置。
【請求項４】
前記移送マットレスが前記頭側端部と前記足側端部の間に中間部分を含み、前記移送マットレスが縦方向に拡張する１組の側部空気小室、並びに前記頭側端部、前記中間部分、及び前記足側端部の各々の部分において前記側部空気小室の間に拡張する複数の横方向小室を含み、前記中間部分の前記横方向小室の幅が前記頭側端部及び前記足側端部の横方向小室より狭い、請求項１に記載の患者移送装置。
【請求項５】
前記移送マットレスの前記足側端部の上面上に配置された足分離器をさらに含み、前記足分離器が前記移送マットレス上に支持された患者の足の間の分離を維持するように構成されている、請求項１に記載の患者移送装置。
【請求項６】
前記足分離器が少なくとも１つの膨張可能な小室を含む、請求項５に記載の患者移送装置。
【請求項７】
前記足分離器がくさび形形状を画定するために前記足分離器の長さに沿って先細にされている、請求項５に記載の患者移送装置。
【請求項８】
前記マットレスの表面に取り付けられた、前記プレナムを膨張させるための空気コンプレッサーをさらに備える、請求項１に記載の患者移送装置。
【請求項９】
前記コンプレッサーが前記移送マットレスの前記足側端部の上面に配置されている、請求項８に記載の患者移送装置。
【請求項１０】
前記胴体支持小室の上に配置された膨張可能な頭部支持小室をさらに備える、請求項１に記載の患者移送装置。
【請求項１１】
前記膨張可能な頭部支持小室が前記胴体支持小室の内部から分離された内部を画定する、請求項１０に記載の患者移送装置。
【請求項１２】
前記膨張可能な頭部支持小室が部分的に膨張した状態を与えるために、調節可能に膨張させることができるように構成されている、請求項１０に記載の患者移送装置。
【請求項１３】
支持された患者の下側に横たわる面に対するスライド移動を容易にするために構成された底面の空気排出穴を有する患者移送装置であって：
膨張可能な小室を含む胴体支持体であって、前記胴体支持小室が膨張させられたときに、患者の胴体が患者の足に対して持ち上げられるように、下側に横たわる患者移送装置の支持面に対して傾けられる上面を有する胴体支持体；
膨張可能な頭部支持小室を含む、前記胴体支持体の上面に配置された頭部支持体であって、前記頭部支持小室が、それぞれの小室の独立な膨張のために、前記胴体支持小室によって画定される内部から分離された内部を画定する頭部支持体；
前記胴体支持小室及び前記頭部支持小室の各々に接続された入口管であって、各々が関連する小室を膨張させるために加圧された空気源に接続されている入口管；及び、
前記入口管に機能可能に接続され、前記胴体支持小室及び前記頭部支持小室の膨張の独立に制御するために構成されている膨張制御システムを備える患者移送装置。
【請求項１４】
前記膨張制御システムが加圧された空気源に接続された分配マニホールドを含み、前記分配マニホールドが前記加圧された空気源から前記胴体支持小室及び前記頭部支持小室への独立した加圧された空気の供給を与えるために前記入口管の各々に接続された弁を含む、請求項１３に記載の患者移送装置。
【請求項１５】
前記胴体支持小室及び前記頭部支持小室の各々に接続された排気管をさらに備え、前記分配マニホールドが関連した小室からの空気の排出、及び小室の制御された収縮ために前記排気管の各々に接続された弁を含む、請求項１３に記載の患者移送装置。
【請求項１６】
前記分配マニホールドの前記弁が電気的に制御される弁である、請求項１５に記載の患者移送装置。
【請求項１７】
前記膨張制御システムが前記分配マニホールドの弁を制御するための制御ユニットを含み、前記制御ユニットがユーザーの親指による作動のために挿管用管に取り付けられるように構成されている、請求項１３に記載の患者移送装置。
【請求項１８】
前記頭部支持小室が前記頭部支持小室の上面上に配置されたクッション、及び前記頭部支持小室及び前記クッションを覆うカバーを含む、請求項１３に記載の患者移送装置。
【請求項１９】
患者移送装置であって：
上部及び底部のシート、及び膨張可能なプレナムを含む移送マットレスであって、前記プレナムが膨張させられたときに、前記マットレスの下側に横たわる支持面に対するスライド移動を容易にするために前記底部シートの下側にエアクッションを生成するように構成されている移送マットレス；
前記移送マットレスに取り外し可能に取り付けられた胴体及び頭部支持付属物であって、前記付属物は膨張可能な小室を有する胴体支持体及び膨張可能な小室を有する頭部支持体を含み、前記頭部支持小室が前記胴体支持体小室の上面に配置されており、前記胴体支持体が、前記胴体支持小室が膨張させられたときに、患者の胴体の上部を患者の胴体の下部及び足に対して持ち上げるために前記下側に横たわる支持面に対して傾けられる上面を有し、前記胴体支持小室及び前記頭部支持小室がそれぞれの小室の独立な膨張を可能にするために互いに分離された内部を画定する移送マットレス；
関連する小室の膨張のために関連する小室に加圧された空気を供給するための、前記胴体支持小室及び前記頭部支持小室の各々に接続された入口管；
加圧された空気源；
加圧された空気を受容するために前記加圧された空気源に機能可能に接続された分配マニホールドであって、各々が関連する小室への加圧された空気の制御された供給のために前記入口管の対応する１つに接続された第１及び第２の弁を含む分配マニホールド；及び、
前記分配マニホールドに接続されたコントローラーであって、前記胴体支持小室及び前記頭部支持小室の独立な膨張のために前記弁の動作を制御するように構成されたコントローラーを備える患者移送装置。
【請求項２０】
前記胴体支持小室及び前記頭部支持小室からの空気の排出のために関連する小室に接続された第１及び第２の排気管をさらに備え、前記分配マニホールドが関連する小室の制御された収縮のために前記排気管の対応する１つに接続された第３及び第４の弁を含む、請求項１９に記載の患者移送装置。
【請求項２１】
気管内挿管処置を受けている患者を位置付けるために、患者の胴体の上部を患者の胴体の下部及び足に対して持ち上げるための胴体及び頭部支持装置であって：
患者が実質的に仰向け状態のときに患者の本質的に全身体の下側に配置されるような寸法にされた身体支持体（７０,７８）であって、足側端部及び頭側端部を有する身体支持体；
前記身体支持の中間領域から前記身体支持の前記頭側端部まで拡張する、膨張可能な胴体支持空気小室であって、前記小室が膨張及び拡張されたときに、患者の胴体の上部及び頭部を患者の胴体の下部及び足に対して持ち上げるような寸法にされた胴体支持空気小室：
前記胴体支持小室の上面に配置され、患者の頭部の下側に配置されるように位置付けられた拡張可能な頭部枕（７６）であって、前記頭部枕が膨張可能な空気小室（８０）を含み、前記頭部枕空気小室が、前記頭部枕空気小室が膨張及び拡張したときに患者の頭部を持ち上げるように機能し、前記頭部枕空気小室が前記胴体支持小室とは独立な膨張のために前記胴体支持小室から分離された内部を有する頭部枕；
前記胴体支持小室前記頭部枕小室の各々に接続された入口管（９０,８８）であって、各々が関連する小室の膨張のために加圧された空気源としての空気分配マニホールド（９８）に接続されている入口管；
前記空気入口管に機能可能に接続された膨張制御システム（９６）であって、前記胴体支持小室及び前記頭部枕小室に加圧された空気を選択的に誘導することによって患者の喉頭の、挿管のために最適な解剖学的整列を達成するために、患者の胴体／頭部の位置が変化させられるように前記胴体支持小室及び前記頭部枕小室の膨張を独立に制御するように構成された膨張制御システムを備える膨張可能な胴体及び頭部支持装置。
【請求項２２】
前記胴体支持空気小室が前記身体支持体の前記足側端部に対して約４０度以下の角度で傾くことができる、請求項２１に記載の膨張可能な胴体及び頭部支持装置。
【請求項２３】
膨張可能なプレナムを画定する上部及び下部のシート（１２,１４）を有するタイプの患者移送マットレスへの取り付けのための手段（７２）を有する身体支持体をさらに備え、前記底部シートが、前記プレナムが膨張させられたときに、前記底部シートの下側にエアクッションを生成するように構成された空気排出穴を有する、請求項２１または２２に記載の膨張可能な胴体及び頭部支持装置。
【請求項２４】
請求項２１に記載の膨張可能な胴体及び頭部支持装置と膨張可能なプレナムを画定する上部及び下部のシート（１２,１４）を有するタイプの患者移送マットレスとの結合物であって、前記底部シートが、前記プレナムが膨張させられたときに、前記底部シートの下側にエアクッションを生成するように構成された空気排出穴を有し、前記胴体及び頭部支持装置が前記移送マットレスの上側に横たわる結合物。
【請求項２５】
前記移送マットレスの前記上部のシート（１２）が前記身体支持体の前記上面を形成するように、前記移送マットレス及び前記胴体及び頭部支持装置が一体化されている、請求項２４に記載の結合物。
【請求項２６】
気管内挿管処置中に患者を支持するための膨張可能な装置であって：
患者を受容するように構成された表面を画定する患者支持体であって、患者が実質的にうつ伏せまたは仰向け姿勢のときに患者の身体全体を収容するような寸法にされた患者支持体；
膨張させられたときに患者の頭部及び胴体の上部が患者の足に対して持ち上げられるように、前記患者支持面の頭側端部を上昇させるように構成された膨張可能な胴体小室；
患者の頭部を支持するために配置された拡張可能な枕であって、膨張させられたときに患者の頭部を患者の胴体の上部に対して持ち上げるように構成された膨張可能な小室を含み、前記枕小室が前記胴体小室とは独立な膨張のために前記胴体小室の内部から分離された内部を有する拡張可能な枕
前記胴体小室及び前記枕小室に空気を供給するための空気吸入システム；及び、
前記空気吸入システムを介して前記胴体小室及び前記枕小室への空気の供給を制御するための膨張制御システムであって、挿管を容易にするための患者の喉頭の最適な解剖学的整列を達成するために、患者の足に対する患者の胴体の上部の位置及び患者の胴体の上部に対する患者の頭部の位置の両方を調節することができるように、前記胴体小室及び前記枕小室の膨張を独立に制御するために構成されている膨張制御システムを備える膨張可能な装置。
【請求項２７】
前記膨張可能な装置が膨張可能な移送マットレスの上面に配置されるように、前記移送マットレスに取り付けられるように構成されている、請求項２６に記載の膨張可能な装置。